(57)【特許請求の範囲】
【請求項１】
長尺で上下方向に延びる中芯シャフトと、該中芯シャフトに対して傘骨状に開閉自在で該中芯シャフトの下端側において該下端方向に拡開可能な少なくとも３本の親骨と、これら親骨間に張設されて柔軟で光の透過拡散性を有するディフューザーシートとを備え、
上記中芯シャフトにその軸に沿って摺動自在な摺動ろくろが取付けられていると共に、該中芯シャフトの下端部に固定ろくろが固定されていて、
上記摺動ろくろには、放射状に配置された上記親骨の基端部がそれぞれ回動自在に連結され、上記固定ろくろには、上記親骨の中間部を回動自在に支持する受骨の基端部がそれぞれ回動自在に連結され、
上記親骨を拡開させた状態において、上記ディフューザーシートにより、底面が開口したドーム状の撮影用空間が形成されると共に、上記中芯シャフトが該撮影用空間よりも上方に向けて立設されるように構成されており、
上記ディフューザーシートが、上記親骨間に固定的に張設されて上記撮影用空間の側壁を形成する第１シートと、該第１シートの内面側に着脱自在に張設されて上記撮影用空間の上壁を形成する第２シートとによって構成されていて、上記撮影用空間全体が上記受骨よりも下方に形成され、上記第１シートにおける互いに隣接する一対の親骨間に撮影用窓が開設されており、
上記撮影用空間に収容された被写体を、上記中芯シャフトに取付けた外部光源から上記ディフューザーシートを透過させて得られた照明光で照射して、上記撮影用窓を通じて撮影することができるように構成されている、
ことを特徴とする撮影ボックス。
【請求項２】
上記第２シートは雄雌一対の面ファスナにより着脱自在となっており、
上記面ファスナにおける雄側及び雌側のうちの一方が、各親骨にそれぞれ取付けられ、上記面ファスナにおける雄側及び雌側のうちの他方が、第２シートにおける各親骨の面ファスナに対応する位置にそれぞれ取付けられている、
ことを特徴とする請求項１に記載の撮影ボックス。
【請求項３】
上記親骨にそれぞれ取付けられた面ファスナが筒状に形成されていて、該面ファスナに親骨が挿通され、
各親骨の上記受骨による支持位置よりも先端部側には、該面ファスナの親骨の軸方向への移動を制限するストッパ手段が設けられており、
該面ファスナが、親骨における上記支持位置と上記ストッパ手段との間で移動自在となっている、
ことを特徴とする請求項２に記載の撮影ボックス
【請求項４】
上記外部光源が、上記中芯シャフトに対して着脱自在に取付けられている、
ことを特徴とする請求項１〜３の何れかに記載の撮影ボックス。
【請求項５】
上記中芯シャフトが中空のアルミニウム材から成り、上記親骨及び受骨がＦＲＰから成る、
ことを特徴とする請求項１〜４の何れかに記載の撮影ボックス。
【請求項６】
上記ディフューザーシートがナイロン又はポリエステルの平織から成る、
ことを特徴とする請求項１〜５の何れかに記載の撮影ボックス。
【請求項７】
４本の親骨が略等角度間隔に配設されていて、ディフューザーシートにおける上記撮影用窓が開設された面と対向する面に、バックシートの一端を保持させるためのシート保持部が設けられている、
ことを特徴とする請求項１〜６の何れかに記載の撮影ボックス。
【発明の詳細な説明】
【技術分野】
【０００１】
本発明は、小物や料理等の被写体を撮影する際に、光の透過性及び拡散性を有するディフューザーシートを透過させた照明光によって上記被写体を照射するための撮影ボックスに関するものである。
【背景技術】
【０００２】
被写体を覆う半透明で光拡散性を有するディフューザーを備えていて、該ディフューザーを透過させた照明光により上記被写体を照射して撮影するための撮影ボックスは、特許文献１に示すように既に公知である。
該撮影ボックスにおいて、ディフューザーは、サンドブラスト加工を施した円弧状の薄いプラスチックシートから成っていて、該撮影ボックスは、この円弧状シートを丸めてその両端縁部を面ファスナ等で連結することにより、底面が平坦に開口すると共に頂部が上方に尖って閉じられた円錐形状に形成されている。
【０００３】
しかしながら、上記公知の撮影ボックスは、円弧状の薄いプラスチックシートを単に円錐形状に丸めることにより形成されるため、使用時における形状保持等の安定性に欠けるばかりでなく、組立て時や片付け時における作業性や、不使用時における取扱い性等についても、必ずしも十分に配慮されているとはいえない。
【特許文献１】特開平１１−１０９４５８号公報
【発明の開示】
【発明が解決しようとする課題】
【０００４】
本発明の技術的課題は、光の透過拡散性を有するディフューザーシートを備えた撮影ボックスにおいて、使用時における安定性、組立て時や片付け時における作業性、及び不使用時における取扱い性等に優れたものを提供することにある。
【課題を解決するための手段】
【０００５】
上記課題を解決するための本発明の撮影ボックスは、長尺で上下方向に延びる中芯シャフトと、該中芯シャフトに対して傘骨状に開閉自在で該中芯シャフトの下端側において該下端方向に拡開可能な少なくとも３本の親骨と、これら親骨間に張設されて柔軟で光の透過拡散性を有するディフューザーシートとを備え、上記中芯シャフトにその軸に沿って摺動自在な摺動ろくろが取付けられていると共に、該中芯シャフトの下端部に固定ろくろが固定されていて、上記摺動ろくろには、放射状に配置された上記親骨の基端部がそれぞれ回動自在に連結され、上記固定ろくろには、上記親骨の中間部を回動自在に支持する受骨の基端部がそれぞれ回動自在に連結され、上記親骨を拡開させた状態において、上記ディフューザーシートにより、底面が開口したドーム状の撮影用空間が形成されると共に、上記中芯シャフトが該撮影用空間よりも上方に向けて立設されるように構成されており、上記ディフューザーシートが、上記親骨間に固定的に張設されて上記撮影用空間の側壁を形成する第１シートと、該第１シートの内面側に着脱自在に張設されて上記撮影用空間の上壁を形成する第２シートとによって構成されていて、上記撮影用空間全体が上記受骨よりも下方に形成され、上記第１シートにおける互いに隣接する一対の親骨間に撮影用窓が開設されており、上記撮影用空間に収容された被写体を、上記中芯シャフトに取付けた外部光源から上記ディフューザーシートを透過させて得られた照明光で照射して、上記撮影用窓を通じて撮影することができるように構成されていることを特徴とするものである。
【０００８】
このとき、上記第２シートが雄雌一対の面ファスナにより着脱自在となっており、上記面ファスナにおける雄側及び雌側のうちの一方が、各親骨にそれぞれ取付けられ、上記面ファスナにおける雄側及び雌側のうちの他方が、第２シートにおける各親骨の面ファスナに対応する位置にそれぞれ取付けられていることが望ましい。
さらに、上記親骨にそれぞれ取付けられた面ファスナが筒状に形成されていて、該面ファスナに親骨が挿通され、各親骨の上記受骨による支持位置よりも先端部側には、該面ファスナの親骨の軸方向への移動を制限するストッパ手段が設けられており、該面ファスナが、親骨における上記支持位置と上記ストッパ手段との間で移動自在となっているとより好ましい。
【０００９】
なお、上記撮影ボックスにおいては、上記外部光源が、上記中芯シャフトに対して着脱自在に取付けられていることが望ましい。
また、上記中芯シャフトは中空のアルミニウム材から成り、上記親骨及び受骨はＦＲＰから成ることが望ましく、上記ディフューザーシートはナイロン又はポリエステルの平織から成ることが望ましい。
さらに、４本の親骨が略等角度間隔に配設されていて、ディフューザーシートにおける上記撮影用窓が開設された面と対向する面に、バックシートの一端を保持させるためのシート保持部が設けられているとより好ましい。
【００１０】
このように、本発明に係る撮影ボックスによれば、親骨の拡開により光の透過拡散性を有するディフューザーシートを拡張させてドーム状の撮影用空間を形成し、該ディフューザーシートにその外面側から外部光源の光を当てて透過及び拡散させることにより、該ディフューザーシートが立体的な面光源となって陰陽柔らかい照明光を得ることができ、その照明光を撮影用空間に収容された被写体に照射することができる。
昨今、デジタルカメラやデジタルビデオ等のデジタル撮影機器が一般の消費者の間で急速に普及しているが、このような陰陽柔らかい照明光は、これらデジタル撮影機器による撮影において特に有効であり、本発明に係る撮影ボックスを使用することにより、被写体のライティングに関して特に専門的な知識を有していない一般の消費者であっても、良質な写真や映像を簡単に撮影することができる。
【００１１】
また、本発明に係る撮影ボックスによれば、親骨が中芯シャフトに対して傘骨状に開閉自在であって、これら親骨間に張設されたディフューザーシートを簡単に拡縮させることができるため、使用にあたっての組立て作業及び使用後の片付け作業を簡単な操作にて行うことができる。そして、使用時においては、拡張された上記ディフューザーシートが親骨によって支持されるため、形状保持等の安定性に優れており、さらに、不使用時には、コンパクトに折畳むことができるため、広い収納場所を必要とせず持ち運び等にも便利である。
【００１２】
なお、使用時の組立て状態においては、上記中芯シャフトが撮影用空間よりも上方に向けて立設されるようになっているため、該中芯シャフトに上記外部光源を取付け、その光を撮影用空間の上方からディフューザーシートの外面に当てて該ディフューザーシートを透過させることにより、撮影用空間内の被写体に対して陰陽柔らかい照明光を均一に照射することが可能となる。
【発明の効果】
【００１３】
このように、本発明によれば、使用時における安定性、組立て時や片付け時における作業性、及び不使用時における取扱い性等に優れていて、しかも、中芯シャフトに外部光源を取付け、その光を撮影用空間の上方からディフューザーシートの外面に当てて該ディフューザーシートを透過させることにより、撮影用空間内の被写体に照射するための陰陽柔らかい均一な照明光を容易に得ることが可能な撮影ボックスを提供することができる。
【発明を実施するための最良の形態】
【００１４】
図１〜図５は、本発明に係る撮影ボックスの第１実施例を示している。
この撮影ボックス１Ａは、撮影台２上において小物や料理等の被写体３を撮影するにあたり、該被写体３を上方から覆い、外部光源４からの光を透過・拡散させることにより得られる陰陽柔らかな照明光によって、該被写体３を照射（ライティング）するためのもので、図１に示すように、長尺で上下方向に延びる中芯シャフト５と、該中芯シャフト５を中心として傘骨状に開閉自在で、該中芯シャフト５の下端側で該下端方向に向けて拡開可能とした長尺かつ湾曲可能な４本の親骨６ａ〜６ｄと、各親骨６ａ〜６ｄをそれぞれ支持する受骨７ａ〜７ｄと、柔軟で光の透過性及び拡散性を兼ね備えていて、４本の親骨６ａ〜６ｄ間に固定的に張設されると共に撮影用窓８ａが開設されており、これら親骨６ａ〜６ｄの開閉によって拡縮されるディフューザーシート８と、上記中芯シャフト５に着脱自在に取付けられた上記外部光源４と、上記ディフューザーシート８に一端が着脱自在に取付けられ、上記撮影台２上に敷設して被写体３を載置するための柔軟なバックシート９とを有している。
【００１５】
上記撮影用ボックス１Ａの使用時には、上記親骨６ａ〜６ｄを拡開させて上記ディフューザーシート８を拡張させることにより、該ディフューザーシート８によって底面全体が開口したドーム状の撮影用空間Ｓが形成され、撮影台２上において被写体３を該撮影用空間Ｓ内に収容して、拡張されたディフューザーシート８により上方から覆うことができるようになっている。そして、上記中芯シャフト５に取付けられた上記外部光源４からディフューザーシート８を透過させて得られた照明光を撮影用空間Ｓ内の被写体３に照射することにより、上記撮影用窓８ａを通じて、該撮影用空間Ｓの外部から被写体３を撮影することができるようになっている。
【００１６】
さらに詳述すると、上記４本の親骨６ａ〜６ｄは、互いに略同じ長さを有していて、好ましくは、グラスファイバー等のＦＲＰ（繊維強化プラスチック）から成り、光を吸収して反射しない黒色系、又は後述するディフューザーシート８と同様の白色系に着色されている。そして、これら親骨６ａ〜６ｄは、上記中芯シャフト５の軸廻りにおいて略等角度間隔（略９０度間隔）に放射状に配設されており、該中芯シャフト５の周囲にその軸方向に対して摺動自在に配置された基端部を中心として回動自在となっている。一方、これら親骨６ａ〜６ｄの先端部は自由端となっており、ディフューザーシート８を拡張して撮影ボックス１Ａを使用する際に、脚部として撮影台２上に載置できるようになっている。
【００１７】
上記受骨７ａ〜７ｄは、上記親骨６ａ〜６ｄよりも短尺で該親骨６ａ〜６ｄと同本数（４本）設けられいて、互いに同じ長さを有しており、該親骨６ａ〜６ｄと同様に湾曲可能で、好ましくは、グラスファイバー等のＦＲＰから成り、光を吸収して反射しない黒色系、又は後述するディフューザーシート８と同様の白色系に着色されている。そして、該受骨７ａ〜７ｄは、上記中芯シャフト５の下端部において上記親骨６ａ〜６ｄと略同じ軸廻りの角度位置に放射状に配設されていて、それらの基端部が該中芯シャフト５の下端部に回動自在に連結されると共に、それらの先端部が上記親骨６ａ〜６ｄの基端部寄りの中間位置にヒンジ等を介して回動自在に連結されている。
【００１８】
上記中芯シャフト５は、その横断面が略円形で軸方向に略均一に形成されていて、好ましくは、中空のアルミニウム材から成っている。該中芯シャフト５には、略円筒形状の摺動ろくろ１０がその軸に沿って摺動自在に嵌められており、該摺動ろくろ１０の下端部に上記親骨６ａ〜６ｄの基端部が回動自在に連結されている。また、該中芯シャフト５の下端部には固定ろくろ１１が固定されていており、該固定ろくろ１１に上記受骨７ａ〜７ｄの基端部が回動自在に連結されている。さらに、中芯シャフト５の下端部寄りの中間部には、上記摺動ろくろ１０が中芯シャフト５の上端部側へ移動するのを規制して親骨７ａ〜７ｄの拡開状態を保持するためのはじき５ａが、中芯シャフト５の中空内部に設けられた図示しない弾性手段により外方に付勢されて該中芯シャフト５の表面に突設されている。該はじき５ａは、薄板状で中芯シャフト５の上端部側から下端部側に向けて突出高さが大きくなるように傾斜して形成されている。なお、上記中芯シャフト５における固定ろくろ１１とはじき５ａとの間には、摺動ろくろ１０の中芯シャフトの先端部側への移動を制限する鋲等の当接部材５ｂが凸設されている。
【００１９】
そのため、摺動ろくろ１０がはじき５ａよりも中芯シャフト５の上端部側にあって上記親骨６ａ〜６ｄが閉じられた状態から、親骨６ａ〜６ｄを拡開させながら該摺動ろくろ１０を中芯シャフト５の下端部側へと摺動させて上記はじき５ａに当接させると、該はじき５ａがその傾斜に沿って摺動ろくろ１０により上記弾性手段の付勢力に抗して押圧され、中芯シャフト５内に押込まれていく。そして、該はじき５ａは、摺動ろくろ１０が乗り越えると同時に弾性手段の付勢力により突出して、該摺動ろくろ１０の上端部側への戻りを阻止し、上記親骨６ａ〜６ｄを拡開状態に保持する。このとき、上記固定ろくろ１１が、上記受骨７ａ〜７ｄの先端部と上記親骨６ａ〜６ｄとの連結位置（すなわち、受骨７ａ〜７ｄによる親骨６ａ〜６ｄの支持位置）の高さよりも低い位置に配置されていて、上記摺動ろくろ１０には、ディフューザーシート８の張力により下方に湾曲した親骨６ａ〜６ｄを通じて、中芯シャフト５の上端部側へと戻そうとする力が作用しているため、該はじき５ａを指で押圧して中芯シャフト５内に押込むと、摺動ろくろ１０が該はじき５ａを乗り越え中芯シャフト５の上端部側へと摺動して、上記親骨６ａ〜６ｂが閉じられるようになっている。
【００２０】
上記ディフューザーシート８は、上記４本の親骨６ａ〜６ｄを内側にして、これら親骨６ａ〜６ｄの基端部から先端部にたわる略全体に張設されており、その頂部が上記摺動ろくろ１０に固定されていると共に、上記親骨６ａ〜６ｄに対して、少なくとも上記受骨７ａ〜７ｄが連結された支持位置と先端部とにおいて、糸等の適宜の固定手段１３により固定されている。なお、ここでは、親骨６ａ〜６ｄの先端部をディフューザーシート８の下端縁から若干突出させて撮影台２上に載置するための脚部としている。
そして、該ディフューザーシート８における拡張時に撮影用空間Ｓの側壁を形成する面であって、上記親骨６ａ〜６ｄのうち互いに隣接する一対の親骨６ａ、６ｂ間に張設された面には、撮影用空間Ｓの外部から被写体３を撮影するための上記撮影用窓８ａが開設されており、また、該撮影用窓８ａが開設された面と対向する面、すなわち、他方の一対の親骨６ｃ、６ｄ間に張設された面には、上記バックシート９の一端を保持させるためのスリット状開口や面ファスナから成る保持部１４が形成されている。
【００２１】
ここで、上記ディフューザーシート８は、ナイロン又はポリエステルの白色系糸の平織から成る白色系で光の透過性を有する織布により形成されていて、柔軟でその表裏面に無数の凹凸が形成されている。そのため、該ディフューザーシート８の外面に外部光源４からの光を当てて透過させることにより、その透過した光が撮影用空間Ｓ内で拡散して陰陽柔らかい照明光を得ることができる。すなわち、ディフューザーシート８を、その点光源からの光を透過及び拡散させるという性質を利用して面光源として用い、撮影用空間Ｓ内の被写体３を照射することができる。このような面光源から照射される陰陽柔らかい照明光は、デジタルカメラやデジタルビデオ等のデジタル撮影機器による撮影において特に有効である。
【００２２】
上記外部光源４は、光源本体４０と該光源本体４０を中芯シャフト５に対して着脱自在に取付けるための取付部４１とから構成されている。そして、該取付部４１は、バネ力により中芯シャフト５を挟持するクリップ部４１ａと、該クリップ部４１ａに対して上記光源本体４０を二軸廻りに回動自在に連結する連結部４１ｂとにより構成されている。そのため、ディフューザーシート８をドーム状に拡張させて撮影ボックス１Ａを組立てた際に、撮影用空間Ｓよりも上方に向けてディフューザーシート８の頂部から略鉛直に立設された中芯シャフト５を上記クリップ部４１ａで挟持することにより、光源本体４０を中芯シャフト５の所望の高さ位置に取付けることができ、さらに、取付けた光源本体４０を上記連結部４１ｂの二軸廻りに回動させることにより、光源本体４０の向きを適宜調整することができる。
【００２３】
上記バックシート９は、紙、樹脂又は布等から成っていて、撮影用空間Ｓの底面開口とほぼ同じ横幅を有している。そして、該バックシート９における長手方向の一方の端縁部には、面ファスナの雄雌の一方９ａが取付けられ、その一方で、一対の親骨６ｃ、６ｄ間に張設されたディフューザーシート８の内面には、対となる面ファスナの雄雌の他方が上記保持部１４として取付けられていて、バックシート９を、拡張されたディフューザーシート８に対して着脱自在に装着することにより、撮影用空間Ｓ内において撮影台２上に敷設することができるようになっている。また同時に、上記ディフューザーシート８には、上記他方の面ファスナの取付け位置に沿って、スリット状開口が同じく上記保持部１４として開設されており、バックシート９が紙等から形成されていて面ファスナ９ａを取付けることができない場合に、該バックシート９の一方の端縁部をクリップ等の保持手段を用いて上記スリット状開口に着脱自在に保持させることができるようになっている。
ここで、該バックシート９は、光の不要な反射を避けるため光沢が無いものが望ましく、その色については、白、黒等、必要に応じて適宜の色を採用することができる。また、該バックシート９は、図１及び図５に示すように、ディフューザーシート８への装着状態における撮影台２からの立上がり部分から、ディフューザーシート８に保持される長手方向の一方の端縁部に至るまで、撮影用空間Ｓの幅に対応して徐々に幅狭となるように形成されている。
【００２４】
このような構成を備えた撮影ボックス１Ａの操作及び使用方法について説明する。
まず、撮影ボックス１Ａを閉じて折畳んだ状態から開いて組立てるにあたっては、上記はじき５ａよりも上端部側に位置する摺動ろくろ１０を、上記中芯シャフト５に対してその下端部側に向けて摺動させると、４本の受骨７ａ〜７ｄを介して４本の親骨６ａ〜６ｄがそれぞれ押圧されることにより、各親骨６ａ〜６ｄは中芯シャフト５の下端側において該下端方向に向けて傘骨状に開かれていく。そして、上記摺動ろくろ１０が中芯シャフト５の表面から突出したはじき５ａに当接する位置まで摺動すると、該はじき５ａが、摺動ろくろ１０により上記弾性手段の付勢力に抗して中芯シャフト５内に押込まれる。さらに、摺動ろくろ１０がはじき５ａを乗り越えて通過する位置まで摺動すると、中芯シャフト５内に押下げられていたはじき５ａが中芯シャフト５の表面から再び突出して、摺動ろくろ１０の上方への戻りを阻止する。このとき、各親骨６ａ〜６ｄは拡張されたディフューザーシート８の張力により下方へ湾曲した状態となっているため、上記摺動ろくろ１０には、これら親骨６ａ〜６ｄを通じて中芯シャフト５の上端部方向への力が作用している。したがって、その時点で上記摺動ろくろ１０の摺動を停止すると、該摺動ろくろ１０がはじき５ａに係止されて親骨６ａ〜６ｄは拡開した状態に保持されるため、上記撮影ボックス１Ａは上記ディフューザーシート８がドーム状に拡張された状態に保持される。
【００２５】
このようにして組立てられた撮影ボックス１Ａを使用して被写体３を撮影するにあたっては、まず、ディフューザーシート８がドーム状に拡張された該撮影ボックス１Ａを、４本の親骨６ａ〜６ｄの先端部を脚部として撮影台２上に載置し、それと同時に、上記バックシート９を、ディフューザーシート８に装着して撮影用空間Ｓ内の撮影台２上に敷設すると共に、拡張されたディフューザーシート８の頂部から突出して撮影用空間Ｓの上方に立設された中芯シャフト５に対し、上記外部光源４をその光源本体４０を下方に向けて取付ける。そして、上記被写体３を、撮影用空間Ｓ内に敷設されたバックシート９上に上記撮影用窓８ａを通じてセットする。
次に、上記中芯シャフト５に取付けた外部光源４の高さ位置や光源本体４０の角度を調節し、その外部光源４の光を撮影用空間Ｓの上方からディフューザーシート８の外面に当てる。そして、その光がディフューザーシート８を透過して撮影用空間Ｓ内で拡散することにより得られた陰陽柔らかい照明光で上記被写体３を照射し、その照射された被写体３を、上記撮影用窓８ａを通じてデジタルカメラ等により撮影する。なお、被写体３の形状等によっては、別途、他の外部光源を追加して、その光をディフューザーシート８における撮影用空間Ｓの側壁を形成する部分に当てることも可能である。
【００２６】
この撮影ボックス１Ａを使用状態から折畳んで片付けるにあたっては、まず、上記バックシート９及び外部光源４をディフューザーシート８及び中芯シャフト５からそれぞれ取外す。次いで、上記はじき５ａを上記中芯シャフト５内に押込む方向に指で押圧すると、上記親骨６ａ〜６ｄを通じて摺動ろくろ１０に作用している中芯シャフト５の上端部方向への力により、摺動ろくろ１０が該はじき５ａを乗り越えて中芯シャフト５の上端部方向へと摺動し、その結果、図３に示すように上記親骨６ａ〜６ｂが傘骨状に閉じられて、ディフューザーシート８が畳まれるようになっている。
【００２７】
このように、本第１実施例に係る撮影ボックス１Ａによれば、親骨６ａ〜６ｄの拡開により光の透過拡散性を有するディフューザーシート８を拡張させて、簡単にドーム状の撮影用空間Ｓを形成することができるため、その拡張されたディフューザーシート８の外面に外部光源４からの光を当てることにより、該ディフューザーシート８が、その光を透過させると共に撮影用空間Ｓ内で拡散させて立体的な面光源を形成し、その結果、容易に陰陽柔らかい照明光を得て撮影用空間Ｓ内の被写体３を照射することができる。
また、上記撮影ボックス１Ａは、傘骨状に開閉する複数の親骨６ａ〜６ｄにより上記ディフューザーシート６を簡単に拡縮させることができるから、使用にあたってのディフューザーシート８を拡張する組立て作業、及び使用後の該ディフューザーシート８を畳む片付け作業を、簡単な操作にて行うことができる。
【００２８】
また、上記撮影ボックス１Ａは、上記ディフューザーシート８を拡張した組立て状態では、該ディフューザーシート８が４本の親骨６ａ〜６ｄによって支持されるようになっているため、形状保持等の安定性に優れており、中芯シャフト５に外部光源４を取付けても撮影用空間Ｓが歪むことが無い。さらに、不使用時には、親骨６ａ〜６ｄを傘骨状に閉じて、コンパクトに折畳むことができるため、広い収納場所を必要とせず持ち運び等にも便利である。
【００２９】
次に、本発明に係る撮影ボックスの第２実施例を図６〜図９に基づいて詳細に説明する。なお、ここでは、上記第１実施例との説明の重複を避けるため、第１実施例と同じ構成部分、並びに、その作用効果及び使用方法については、同一符号を付して具体的説明を省略することとする。
本第２実施例に係る撮影ボックス１Ｂは、上記第１実施例に係る撮影ボックス１Ａをさらに改良したものであって、その主な違いは、ディフューザーシートの構成にある。
すなわち、上記第１実施例に係る撮影ボックス１Ａでは、ディフューザーシート８が、一体に形成されており、４本の親骨６ａ〜６ｄの外側において、これら親骨６ａ〜６ｄの基端部から先端部にわたる略全体に張設されている。そのため、ディフューザーシート８を拡張した際に、撮影用空間Ｓ内の上部空間に受骨７ａ〜７ｄが配置されるので、場合によっては、ディフューザーシート８を透過して拡散した照明光がこれら受骨７ａ〜７ｄによって遮られ、撮影用空間Ｓ内の被写体３に影を形成する虞がある。そこで、本第２実施例に係る撮影ボックス１Ｂでは、被写体３に受骨７ａ〜７ｄの影が形成されないように、ディフューザーシート１８を、ドーム状の撮影用空間Ｓ全体が受骨７ａ〜７ｄの下方に形成されるように、親骨６ａ〜６ｄ間に張設した。
【００３０】
具体的に説明すると、上記ディフューザーシート１８は、親骨６ａ〜６ｄの外側に固定的に張設され、上記撮影用空間Ｓの側壁部分を形成すると共に上記撮影用窓８ａが開設された第１シート１８ａと、該第１シート１８ａの内面側に着脱自在に張設され、上記撮影用空間Ｓの上壁部分を形成する第２シート１８ｂとにより構成されている。
【００３１】
上記第１シート１８ａは、拡張させた際に、底面と上面とが開口すると共に、底面の開口と上面の開口とが略同形（略正方形）で、底面の開口よりも上面の開口の方が開口面積が小さくなるように形成されていて、上記親骨６ａ〜６ｄにおける上記受骨７ａ〜７ｄが連結された支持位置から先端部にわたって張設されており、少なくともこれら支持位置と先端部とにおいて、上記親骨６ａ〜６ｄに対して糸等の適宜の固定手段１３により固定されている。
そして、該第１シート１８ａにおける上記親骨６ａ〜６ｄのうち互いに隣接する一対の親骨６ａ、６ｂ間に張設された面には、上記撮影用窓８ａが開設されており、また、該第１シート１８ａにおける上記撮影用窓８ａが開設された面と対向する面、すなわち、他方の一対の親骨６ｃ、６ｄ間に張設された面には、上記バックシート９の一端を保持させるためのスリット状開口や面ファスナから成る保持部１４が形成されている。
【００３２】
一方、上記第２シート１８ｂは、上記第１シート１８ａにおける底面及び上面の開口と略同形（略正方形）で、底面の開口面積よりも小さく上面の開口面積よりも大きく形成されており、上記第１シート１８ａの内面側であって、上記親骨６ａ〜６ｄにおける上記受骨７ａ〜７ｄによる支持位置よりも先端部側において、該親骨６ａ〜６ｄに対し着脱自在に取付けられている。
【００３３】
ここで、上記第２シート１８ｂの各親骨６ａ〜６ｄに対する着脱は、係合手段としての雄雌一対の面ファスナ２０により行われ、該面ファスナ２０は、表面に多数のループを備えた雌側片２０ａと、表面に多数のフックを備えた雄側片２０ｂとにより構成されている。
上記面ファスナ２０の雌側片２０ａは、表面を外側にした長い筒状に形成されていて、上記各親骨６ａ〜６ｄにそれぞれ挿通することにより、該親骨６ａ〜６ｄに対して取付けられている。そして、各親骨６ａ〜６ｄにおける上記受骨７ａ〜７ｄによる支持位置よりも先端部側には、該雌側片２０ａの親骨６ａ〜６ｄの軸方向への移動を制限するストッパ手段２１がそれぞれ設けられており、図９に示すように、該雌側片２０ａが上記支持位置と上記ストッパ手段２１との間で移動自在となっている。なお、本第２実施例において、上記ストッパ手段２１は、第１シート１８ａを親骨６ａ〜６ｄに対して結合する環状の縫い糸により形成されている。
【００３４】
一方、上記面ファスナ２０の雄側片２０ｂは、上記筒状の雌側片と略同じ長さを有していて、上記第２シート１８ｂにおける上記親骨６ａ〜６ｄに装着された雌側片２０ａに対応する位置、すなわち、上記第２シート１８ｂにおける各親骨６ａ〜６ｄに対応する四隅の対角線上に取付けられている。
そのため、上記面ファスナ２０の雌側片２０ａの親骨６ａ〜６ｄに対する取付け位置を、上記支持位置と上記ストッパ手段２１との間でそれぞれ調整し、調整した雌側片２０ａに上記第２シート１８ｂの雄側片２０ｂをそれぞれ係合させることにより、ディフューザーシート１８によって形成されるドーム状の撮影用空間Ｓの高さを、被写体３の照明具合等に応じて自在に調節することができる。しかも、上記第２シート１８ｂが、受骨７ａ〜７ｄよりも下方に張設されていて、撮影用空間Ｓ全体が該受骨７ａ〜７ｄよりも下方に形成されるため、ディフューザーシート１８を透過して拡散した照明光が受骨７ａ〜７ｄによって遮られることが無く、その結果、撮影用空間Ｓ内の被写体３に受骨７ａ〜７ｄの影が形成されるのを防ぐことができる。
なお、本第２実施例とは逆に、面ファスナ２０の雌側片２０ａを第２シート１８ｂ側に取付けて、面ファスナ２０の雄側片２０ｂを親骨６ａ〜６ｄ側に取付けることも勿論可能である。
【００３５】
このような構成を備えた撮影ボックス１Ｂの操作及び使用方法について説明する。
撮影ボックス１Ｂを閉じて折畳んだ状態から開いて組立てるにあたっては、まず、上記第１実施例の撮影ボックス１Ａの場合と同様にして４本の親骨６ａ〜６ｄを拡開させることにより、ディフューザーシート１８の第１シート１８ａを略円筒状に拡張させて撮影用空間Ｓの側壁部分を形成し、該撮影ボックス１Ｂを撮影台２上に載置する。次に、上記バックシート９を、拡張された第１シート１８ａに装着して撮影用空間Ｓ内の撮影台２上に敷設すると共に、その撮影用空間Ｓ内に敷設されたバックシート９上に、上記被写体３を上記撮影用窓８ａを通じてセットする。そして、上記親骨６ａ〜６ｄに装着された雌側片２０ａを親骨６ａ〜６ｄに沿って移動させてその取付け位置を調整し、上記第２シート１８ｂに取付けられた雄側片２０ｂを該雌側片２０ａに対して係合させることにより、受骨７ａ〜７ｄの下方において、第２シート１８ｂを張設し撮影用空間Ｓの上壁部分を形成する。また同時に、上記第２シート１８ｂよりも上方において撮影用空間Ｓよりも上方に向けて立設された中芯シャフト５に対し、上記外部光源４をその光源本体４０を下方に向けて取付けると共に、その高さ位置や角度を調節する。ここで、上記雌側片２０ａは、親骨６ａ〜６ｄと張設された第１シート１８ａとの間に挟持されるため、取付け位置がずれることが無い。また、上記外部光源４を、中芯シャフト５における上記はじき５ａに係止された摺動ろくろ１０と下端部に取付けられた固定ろくろ１１との間に位置する部分に取付けることも勿論可能である。
【００３６】
続いて、上記中芯シャフト５に取付けた外部光源４の光を、撮影用空間Ｓの上方からディフューザーシート１８（特に第２シート１８ｂ）の外面に当てる。そして、その光がディフューザーシート１８を透過して撮影用空間Ｓ内で拡散することにより得られた陰陽柔らかい照明光で上記被写体３を照射し、その照射された被写体３を、上記撮影用窓８ａを通じてデジタルカメラ等により撮影する。
さらに、この撮影ボックス１Ｂを使用状態から折畳んで片付けるにあたっての操作は、上記第１実施例の撮影ボックス１Ａと同様であるが、上記第２シート１８ｂについては、取外しても取外さなくても良い。
【００３７】
このように、本第２実施例に係る撮影ボックス１Ｂによれば、上記第１実施例に係る撮影ボックス１Ａの作用効果に加えて、上記撮影用空間Ｓの上壁部分を形成する第２シート１８ｂが、受骨７ａ〜７ｄよりも下方に張設されていて、撮影用空間Ｓ全体が該受骨７ａ〜７ｄよりも下方に形成されるため、ディフューザーシート１８を透過して拡散した照明光が受骨７ａ〜７ｄによって遮られることが無く、その結果、撮影用空間Ｓ内の被写体３に受骨７ａ〜７ｄの影が形成されるのを防ぐことができる。しかも、ディフューザーシート１８によって形成されるドーム状の撮影用空間Ｓの高さを、被写体３の照明具合等に応じて自在に調節することができる。
【００３８】
図１０は、第２実施例に係る撮影ボックス１Ｂの一変形例を示している。上記第２実施例においては、親骨６ａ〜６ｄが、摺動ろくろ１０のはじき５ａに対する下方からの係合によって、その拡開状態が保持されるようになっているが、外部光源４を中芯シャフト５に取付けるに際し、そのクリップ部４１ａで該中芯シャフト５における上記はじき５ａの部分を挟持すると、該はじき５ａがクリップ４１ａにより中芯シャフト５内に押込まれると共に、摺動ろくろ１０とはじき５ａとの係合が解除されて、親骨６ａ〜６ｄが閉じてしまう。そのため、外部光源４を中芯シャフト５に対して取付けるにあたっては、はじき５ａの位置を外して取付ける必要性があり、該はじき５ａの存在によってその取付け位置が制限されてしまう。
そこで、本変形例においては、上記はじき５ａを省くと共に、受骨７ａ〜７ｄの長さや親骨６ａ〜６ｄに対する連結位置、及び上記当接部材５ｂの中芯シャフト５に対する凸設位置等を適宜調節して、親骨６ａ〜６ｄを拡開させた際に、固定ろくろ１１が、上記受骨７ａ〜７ｄによる親骨６ａ〜６ｄの支持位置よりも高い位置、具体的には、該支持位置と上記当接部材５ｂとの間の高さ位置に配置されると共に、摺動ろくろ１０の下端が、上記当接部材５ｂに当接するように構成することにより、親骨６ａ〜６ｄの拡開状態を保持することができるようになっている。
そうすることより、中芯シャフト５に対する外部光源４の取付け位置が、はじきによって制限されることがなくなり、しかも、撮影ボックス１Ｂの組立てや折畳みの操作がより簡単となる。なお、この変形例は、上記第２実施例だけではなく、上記第１実施例においても勿論採用することが可能である。
【００３９】
以上において、本発明に係る撮影ボックスについて詳述したが、本発明は、上記各実施例に限定されるものではなく、本願の特許請求の範囲に記載の発明の精神を逸脱しない範囲で、設計において種々の変更ができるものである。
例えば、上記各実施例では、傘骨状に開閉する親骨６ａ〜６ｄの本数を４本としているが、必ずしもこれら実施例に限定される必要は無く、傘骨状に開閉する親骨の本数を３本あるいは５本以上としても良い。そして、上記親骨６ａ〜６ｄ及び受骨７ａ〜７ｄを形成する材料についても、上記グラスファイバー等のＦＲＰに限られることなく、例えば、カーボンや金属材料等であっても良く、また、中芯シャフト５を形成する材料についても、上記アルミニウム材に限られることなく、その他の金属材料や樹脂材料であっても良い。
【図面の簡単な説明】
【００４０】
【図１】本発明の第１実施例に係る撮影ボックスの組立て状態を示す斜視図である。
【図２】第１実施例において中芯シャフトに対し親骨を開いた状態を示す概念図である。
【図３】第１実施例において中芯シャフトに対し親骨を閉じる途中の状態を示す概念図である。
【図４】第１実施例における親骨と受骨との関係を示す斜視図である。
【図５】第１実施例におけるバックシートの平面図である。
【図６】本発明の第２実施例に係る撮影ボックスの組立て状態を示す斜視図である。
【図７】第２実施例に係る撮影ボックスおける外部光源を取外した状態の部分破断平面図である。
【図８】第２実施例においてディフューザーシートの一部を形成する第２シートの平面図である。
【図９】第２実施例において中芯シャフトに対し親骨を開いた状態を示す概念図である。
【図１０】第２実施例の変形例において中芯シャフトに対し親骨を開いた状態を示す概念図である。
【符号の説明】
【００４１】
１Ａ，１Ｂ      撮影ボックス
２              撮影台
３              被写体
４              外部光源
５              中芯シャフト
５ａ            はじき
５ｂ            当接部材
６ａ〜６ｄ      親骨
７ａ〜７ｄ      受骨
８，１８        ディフューザーシート
１８ａ          第１シート
１８ｂ          第２シート
８ａ            撮影用窓
９              バックシート
１０            摺動ろくろ
１１            固定ろくろ
１４            保持部
２０            雄雌一対の面ファスナ
２０ａ          面ファスナの雌側片
２０ｂ          面ファスナの雄側片
２１            ストッパ手段
【図１】
0004711784.tif 000002
【図２】
0004711784.tif 000003
【図３】
0004711784.tif 000004
【図４】
0004711784.tif 000005
【図５】
0004711784.tif 000006
【図６】
0004711784.tif 000007
【図７】
0004711784.tif 000008
【図８】
0004711784.tif 000009
【図９】
0004711784.tif 000010
【図１０】
0004711784.tif 000011